(57)【要約】【課題】大きなスペースを必要とせず、印字済み排紙の引き込みを防止できる用紙送りトラクタの提供。【解決手段】用紙送りベルト１５を備えた本体部９と、用紙送りベルト１５に装着された連続用紙３を用紙送りベルト１５に保持するためのカバー１０とを有し、本体部９とカバー１０との間に給紙路２６が形成される。用紙送りベルト１５の送り爪が用紙を係合する位置よりも用紙送り方向の上流位置において、給紙路２６上の連続用紙３の上面とカバー１０との隙間を塞ぐようにセパレータ２７を設ける。【選択図】図３
2009190205.tif 000002
【特許請求の範囲】
【請求項１】
用紙送りベルトを備えた本体部と、この用紙送りベルトに装着された連続用紙を前記用紙送りベルトに保持するためのカバーと、を有し、前記本体部と前記カバーとの間に給紙路が形成された用紙送りトラクタにおいて、
前記用紙送りベルトの送り爪による用紙係合開始位置よりも用紙送り方向の上流位置において、前記給紙路上の連続用紙の上面と前記カバーとの隙間を塞ぐように設けられたセパレータを有することを特徴とする用紙送りトラクタ。
【請求項２】
前記セパレータは、先端部を前記用紙送り方向の上流方向に向けて前記カバーの裏面に配置されると共に、前記先端部が前記給紙路上の連続用紙の上面に当接されることを特徴とする請求項１に記載の用紙送りトラクタ。
【請求項３】
前記セパレータは、前部が前記カバーの裏面に回動自在に軸止めされ、自重により前記先端部が前記カバーから前記軸回りに下方に向けて回動して前記給紙路上の連続用紙の上面に当接されることを特徴とする請求項２に記載の用紙送りトラクタ。
【請求項４】
前記セパレータは弾性部材よりなり、基部が前記カバーの裏面に固定され、先端部が前記給紙路上の連続用紙の上面に向けて付勢力を有して当接されることを特徴とする請求項２に記載の用紙送りトラクタ。
【請求項５】
前記セパレータは、前部が前記カバーの裏面に設けた収納凹部に収められ、先端部が給紙路上の連続用紙の上面に当接しているとき、この先端部とカバー裏面との間隙が凹所の後壁によって遮蔽されていることを特徴とした請求項２〜４のいずれか一つに記載の用紙送りトラクタ。
【請求項６】
請求項１乃至請求項５のうちの何れか１つに記載の用紙送りトラクタを備えたことを特徴とするプリンタ。
【発明の詳細な説明】
【技術分野】
【０００１】
本発明は、用紙送りベルトを備えた本体部とこの用紙送りベルトに装着された連続用紙を用紙送りベルトに保持するためのカバーとを有し、本体部とカバーとの間に給紙路が形成された用紙送りトラクタ及びその用紙送りトラクタを備えたプリンタに関する。特に、用紙送りベルトによって送られる連続用紙（給紙）の給紙路に印字済みの連続用紙（排紙）が入り込むのを防止するセパレータを備えた用紙送りトラクタに関する。
【背景技術】
【０００２】
連続用紙(ロール紙やファンフォールド紙、以下、用紙という)を利用するプリンタ１（図１１）は、通常、左右の用紙送りトラクタ２で連続用紙３（給紙３ａ）を送り込み、印字後に排出ローラ４を経由してプリンタ１から排出される(排紙３ｂ)。そして、給紙側と排紙側が図のように、プリンタ１の同じ側に設計されていると、給紙３ａと排紙３ｂとが間隔はとってはあるものの、上下方向に重なることになるので、印字後の連続用紙３に残るまき癖や折り癖あるいは静電気による引力で、排紙３ｂの先端部が給紙３ａ上に接触し、そのまま給紙３ａに引かれて再び用紙送りトラクタ２に引き込まれ、ジャムを引き起こすことがある。  
図１１は簡略に示しており、プリンタ１は、プリンタとして通常の構成を備え、符号５はプラテン、符号６は印字ヘッドである。
【０００３】
印字済みの排紙３ｂがトラクタ２に再び引き込まれるのを防止するため、プリンタ１のキャビネット（外装）の印字紙挿入口（給紙口）に突起やリブを一体に形成したり、印字紙挿入口の上方に巻き込み防止ピンをその先端を挿入口の前方に臨ませて固定したもの（特許文献１，２）や、トラクタによる給紙路に関して上流側及び排紙用ガイド部材の先端（排紙路に関して下流側）にフイルムのように柔軟な用紙案内部材を適宜接着により取付けたもの（特許文献３）、あるいはシートガイド部材の先端に補助ガイド部材を連接して排出紙がプッシュトラクタから遠く離れた位置を通過するようにしたもの（特許文献４）がある。
【０００４】
【特許文献１】実公昭６０−９０２５号公報
【特許文献２】実公平１−３１４９０号公報
【特許文献３】実開平４−１３０８６７号公報
【特許文献４】特開平９−１０４１４６号公報
【発明の開示】
【発明が解決しようとする課題】
【０００５】
しかし、特許文献１，２のように、印字紙挿入口（連続用紙挿入口）に突起やリブを配置すると、これらが邪魔になってプリンタヘ連続用紙３を装填しにくく、また、ファンフォールド紙では折り癖箇所が挿入口ヘうまく誘導されず、この箇所でジャムを引き起こすことがある。特許文献３の技術的思想はフイルムによって給紙と排出紙の接触を分離するものであるが、巻き込みを完全に防止するには排紙路を給紙路から遠く離しておく必要がある。さらに、特許文献４のものは巻き込みをほぼ防止できることになるが、シートガイド部材の先端から補助ガイド部材が大きく張り出すので、プリンタの背面側（給・排紙側）にスペースが必要となる。
【０００６】
本発明は、トラクタの箇所において印字済みの排紙を再び引き込むことを防止できる用紙送りトラクタの提供と、そのトラクタを備えたプリンタの提供を課題とする。
【課題を解決するための手段】
【０００７】
用紙送りトラクタにおいて、用紙送りベルトが備えた送り爪の用紙係合開始位置よりも用紙送り方向の上流側に、本体部上面の用紙とカバーとの間に形成される隙間を塞ぐようにセパレータを設ける。  
セパレータは、カバーの裏面に配置され、先端部は用紙送り方向の上流側に向けられる。  
セパレータの基部（前部）は、カバーの裏面に回転可能に軸止めされ、自重で先端部が軸回りに下方へ回転して給紙路上の連続用紙の上面に当接される。  
セパレータは、弾性部材で構成してもよく、この場合、基部（前部）をカバーの裏面に接着その他の手段で固定し、先端部を給紙路上の連続用紙の上面へ弾力的に当接するように配置される。
【発明の効果】
【０００８】
セパレータは、用紙送りベルトの送り爪突出位置よりも用紙送り方向の上流位置において、給紙路上の連続用紙の上面とカバーとの隙間を塞ぐので、印字後の排紙が給紙に引かれて用紙送りトラクタへ移動してきても、セパレータによりトラクタへの引き込みが確実に防止される。
【０００９】
セパレータは、カバーの裏面に配置されるので、連続用紙をセットするときカバーを開き位置にすると、同時にセパレータも用紙搬送路から退避するので使い勝ってがよく、用紙をセットする際の邪魔にもならない。また、用紙のセット後、カバーを下方へ回転させて閉じ位置にすると、セパレータの先端も自動的に用紙の上面に接して、用紙とカバーとの間の隙間を閉鎖し、排紙３ｂの引き込みを防止する配置となる。
【００１０】
セパレータは先端部が上下に移動自在なので、ファンフォールド紙の折癖箇所も支障なく通過させることができる。  
セパレータそのものは小さく、目立たないと共に、簡単な構造なので、低コストである。
【発明を実施するための最良の形態】
【００１１】
説明の都合上、図１に示すように用紙送り方向を前方とし、前後左右を定めることとする。  
プリンタ１（図１，２）は、後部の左右両側に用紙送りトラクタ２，２（プッシュトラクタ  以下、単に「トラクタ」という）を備える。トラクタ２，２は、プリンタ１の左右方向に横架された駆動軸７（図２）とガイド軸８に装着され、互いの間隔を調整可能とされている。
【００１２】
トラクタ２，２は左右で対照の構造であるが、実質的に同じなので右側のものについて説明する。  
トラクタ２は、本体部９とカバー１０及び引張りコイルバネ１１を備える。本体部９は、前方に駆動軸挿通孔１２（図５）と後方にガイド軸挿通孔１３を有すると共に送り爪１４（図３）を備えた環状の用紙送りベルト１５が前後方向に回動できるように装填されている。駆動軸７とガイド軸８（図２）は、プリンタ１において左右方向に配置された軸であり、トラクタ２の本体部９を左右方向に貫通する。
【００１３】
駆動軸７は断面角型で、トラクタ２の内部において駆動スプロケットを貫通してこれを駆動回転できるようにされており、また、ガイド軸８はトラクタ２の内部において従動スプロケットを貫通している。前記の用紙送りベルト１５はこれらのスプロケットに掛けまわされて、駆動軸７が回転すると、用紙送りベルト１５が回動し、連続用紙３がプリンタ１に送り込まれるようになっている。
【００１４】
図４，７において、符号１６は位置決めレバーであり、本体部９のガイド軸挿通孔１３の周りに回動可能に取り付けられており、位置決めレバー１６を下方へ回動したり、上方へ戻したりすると、偏心カムの機構によってガイド軸挿通孔１３に差し込まれたガイド軸８を本体部９側に拘束したり、解除したりする。解除状態にすると、トラクタ２は駆動軸７とガイド軸８上を左右の任意位置へ移動することができる。
【００１５】
本体部９は、さらに、上面側の右側縁に支持部１７ａ，１７ｂを前後に分離して備え、前方の支持部１７ａには前方へ突出した支軸１８ａが、また、後方の支持部１７ｂには後方へ突出した支軸１８ｂが固定されている。図３に前方の支軸１８ａを示し、後方の支軸１８ｂは図示されていない。
【００１６】
カバー１０は、本体部９の上面とほぼ同じ大きさの板体であり、中央部に前後方向のスリット１９を備え、右側縁に軸受け部２０ａ，２０ｂを前後に間隔をあけて固定してある。間隔は本体部９の前方の支持部１７ａの前面と後方の支持部１７ｂの後面間の寸法であり、支持部１７ａ，１７ｂの間隔よりも大きい。
【００１７】
本体部９とカバー１０は、本体部９の支持部１７ａ，１７ｂにカバー１０の軸受け部２０ａ，２０ｂを合わせ、支軸１８ａ，１８ｂで軸支することにより、本体部９に対してカバー１０を回転可能に取り付ける。支持部１７ａ，１７ｂと軸受け部２０ａ，２０ｂ及び支軸１８ａ，１８ｂは蝶番構造を構成する。ついで、本体部９の下部であって右側の中央部に設けたフック２１（図７）とカバー１０の右側縁の中央部に設けた引掛け部２２との間に引張りコイルバネ１１を少量引き伸ばした状態で取り付ける。引張りコイルバネ１１は、開き位置からさらに開いた状態となる過剰開き位置への移行途中が最も引き伸ばされた状態となり、その左右、すなわち、閉じ位置と過剰開き位置では引き伸ばされた量が少ない安定位置となる“切換えバネ”である。
【００１８】
なお、カバー１０の軸受け部２０ａ，２０ｂの間におけるカバー１０の縁は当接部２３であって、カバー１０が開き位置へ回転されると支持部１７ａ，１７ｂに形成してあるストッパー部２４に衝突し、カバー１０が開き位置で一応停止する構造（図３）とされている。また、本体部９の２つの支持部１７ａ，１７ｂにカバー１０の裏面と当接する受け止め部２５ａ，２５ｂが形成され、カバー１０が本体部９の上面に被さった閉じ位置となったとき（図４）、本体部９の上面とカバー１０の内面との間に用紙搬送用の隙間（給紙路２６）が形成されるようになっている。
【００１９】
そして、トラクタ２のカバー１０の裏面には、用紙送りベルト１５の送り爪１４が、連続用紙３を係合し始める位置よりも用紙送り方向の上流位置にセパレータ２７が設けられる（図３）。  
セパレータ２７（図８，９）は、この実施形態において、合成樹脂で成形された部材であり、平面視が矩形の薄板状をなしている。セパレータ２７の基部寄り（前部）に軸支部２８が幅方向に形成され、軸支部２８は上面が開放されてスリット状の嵌合口２９となっている。また、セパレータ２７の先端部３０は給紙路２６上の連続用紙３の上面に当接されるスクレーパ部を構成している。
【００２０】
セパレータ２７は、先端部３０を用紙送り方向の上流方向に向けてカバー１０の裏面に配置されると共に、基部がカバー１０の裏面に回動自在に軸止めされ、自重により先端部３０がカバー１０から軸回りに下方に向けて回動して給紙路２６上の連続用紙３（給紙３ａ）の上面に当接される。
【００２１】
一方、カバー１０の裏面であって後部には、セパレータ収納凹部３１（収納凹部）が設けられている（図８）。収納凹部３１は、平面視が矩形状で、下方に開口されており、前方に、軸３２が横設されている。軸３２は、収納凹部３１の上下方向寸法（深さ）の略中央である。
【００２２】
セパレータ２７は、前記の軸３２に前記の軸支部２８を嵌合口２９から嵌合させて取り付けられる。嵌合は軸３２に対してセパレータ２７が回動自在な程度に、しかし、抜け落ちないように余裕を持って行われる。このため、セパレータ２７は回動自在に軸支され、また、その位置が前方に偏っていることとあいまって、先端部３０はセパレータ２７の自重によって、本体部上面の用紙に常時接触する。すると、カバー１０が閉じ位置にあるとき、セパレータ２７は、用紙送り方向の下流側から上流側に向かって下方に向けて傾斜され、かつ用紙送りベルト１５の送り爪１４が用紙を係合開始する位置よりも用紙送り方向の上流位置において、給紙路２６上の連続用紙３（給紙３ａ）の上面に先端部３０が当接され、連続用紙３とカバー１０との隙間が塞がれる。
【００２３】
収納凹部３１の軸３２の上部にはカバー１０の上面に貫通する透孔３３が設けられ、カバー１０の上面からピンセット等の用具を透孔３３に差し込み、軸３２に支えられたセパレータ２７をカバー１０の下面に向けて押すことにより、セパレータ２７を取り外しやすくしてある。また、透孔３３よりも前方となる収納凹部３１の前部壁３４が、セパレータ２７の下方回動量を制限する規制部となっている。
【００２４】
トラクタ２に連続用紙３をセットするときは、カバー１０を開き位置とする。すると、セパレータ２７も同時に上方へ移動して給紙路２６から退避した位置となり、用紙セットの邪魔にならない。トラクタ２の給紙作動はカバー１０を閉じた状態（閉じ位置）で行われるが、カバー１０の下面とセットされた連続用紙３との間には給紙路２６としての隙間が存在する。しかし、この間隙は、自重により回転したセパレータ２７の先端でふさがれ、排紙３ｂが給紙路２６に再び入り込んできてもセパレータ２７の先端部（スクレーパ部）で阻止され、トラクタ２により再び引き込まれることはない。
【００２５】
また、この実施例において、カバー１０が閉じ位置にあるとき、セパレータ２７は収納凹部３１の内側に収納される格好となり、収納凹部３１の後壁がセパレータ２７の後部とカバー１０の間に入り込むのを防止するので、この部分に排紙３ｂの先端が入り込むことによるジャムを防止する効果が高い（図８）。  
また、トラクタ２のカバー１０にセパレータ２７を配置するので、従来のようにプリンタ1の後方に大きなスペースを必要としない。
【００２６】
図１０は、第２の実施例であり、セパレータ２７の箇所を拡大して示している。この実施例のセパレータ２７は薄片状をなした弾性部材よりなる。セパレータ２７は、基端寄りにおいて先端部３０が斜め下方に向くように折曲されている。セパレータ２７は、先端部３０を用紙送り方向の上流方向に向けてカバー１０の裏面に配置され、前部がカバー１０の裏面に接着されている。先端部３０は、給紙路２６上の連続用紙３（給紙３ａ）の上面に向けて付勢力を有して当接する。この付勢力は、ファンフォールド紙の折癖による凹凸に追随して弾性的に上下移動して通過させる程度である。  
第２の実施例形態のセパレータ２７においても、第１の実施例と同様に、構成が簡単であるとともに、目立たない構成であり、また、同様に排紙３ｂの巻き込みを防止できる。
【図面の簡単な説明】
【００２７】
【図１】プリンタの斜視図。
【図２】プリンタを前後方向に縦断して示す断面図。
【図３】カバーが開き位置にある用紙送りトラクタの斜視図。
【図４】カバーが閉じ位置にある用紙送りトラクタの斜視図。
【図５】右側の用紙送りトラクタの左側面図。
【図６】用紙送りトラクタの平面図。
【図７】右側の用紙送りトラクタの左側面図。
【図８】図６のＡ−Ａ線で破断したセパレータ部分を拡大して示す断面図（第１の実施例）。
【図９】セパレータを縦断して示す拡大断面図。
【図１０】セパレータ部分を拡大して示す断面図（第２の実施例）。
【図１１】従来の給紙と排紙の状態を示すプリンタの概略側面図である。
【符号の説明】
【００２８】
１  プリンタ
２  用紙送りトラクタ
３  連続用紙
３ａ  給紙
３ｂ  排紙
４  排出ローラ
５  プラテン
６  印字ヘッド
７  駆動軸
８  ガイド軸
９  本体部
１０  カバー
１１  引張りコイルバネ
１２  駆動軸挿通孔
１３  ガイド軸挿通孔
１４  送り爪
１５  用紙送りベルト
１６  位置決めレバー
１７ａ  前方の支持部
１７ｂ  後方の支持部
１８ａ  前方の支軸
１８ｂ  後方の支軸
１９  スリット
２０ａ  前方の軸受け部
２０ｂ  後方の軸受け部
２１  フック
２２  引掛け部
２３  当接部
２４  ストッパー部
２５ａ  受け止め部
２５ｂ  受け止め部
２６  給紙路
２７  セパレータ
２８  軸支部
２９  嵌合口
３０  先端部（スクレーパ部）
３１  セパレータ収納凹部
３２  軸
３３  透孔
３４  前部壁
【図１】
2009190205.tif 000003
【図２】
2009190205.tif 000004
【図３】
2009190205.tif 000005
【図４】
2009190205.tif 000006
【図５】
2009190205.tif 000007
【図６】
2009190205.tif 000008
【図７】
2009190205.tif 000009
【図８】
2009190205.tif 000010
【図９】
2009190205.tif 000011
【図１０】
2009190205.tif 000012
【図１１】
2009190205.tif 000013